(57)【要約】【課題】予定通知アラームを通常の着信に擬して、区別がつきにくくすることで、ユーザが確実に予定情報を受け取ることができるようにする。【解決手段】スケジュール管理機能を有する携帯端末において、音声通話に擬して予定通知アラームを実施する。また、予定通知アラームを通常の着信時と同様の方法で行い、かつアドレス帳から任意に選んで着信情報としてディスプレイに表示することで通常の着信と区別がつきにくくする。また、予定通知アラームの時刻をあいまいにすることで通常の着信と区別がつきにくくする。更に、通話中に予定通知を行う場合、通話中着信と同様の呼び出し音を流すことで通常の着信と区別がつきにくくする。【選択図】図１
2008148205.tif 000002
【特許請求の範囲】
【請求項１】
最も使用頻度の高い主要機能における動作を実施するための動作部と、
スケジュール及び予定通知時刻が設定され、前記予定通知時刻に前記動作部を用いて前記主要機能における動作を実施して予定通知を行うスケジューラと
を具備する
携帯端末。
【請求項２】
請求項１に記載の携帯端末において、
前記動作部は、
前記主要機能に用いられる通知音を発生するスピーカ
を含み、
前記スケジューラは、前記予定通知時刻に前記スピーカから前記主要機能に用いられる通知音を発生させて予定通知を行う
携帯端末。
【請求項３】
請求項２に記載の携帯端末において、
前記スケジューラは、ユーザの通話中に予定通知を行う場合、前記スピーカから通話中着信の呼び出し音を発生する
携帯端末。
【請求項４】
請求項１乃至３のいずれか一項に記載の携帯端末において、
前記スケジューラは、前記予定通知時刻から前後に時間をずらして予定通知を行う
携帯端末。
【請求項５】
請求項１乃至４のいずれか一項に記載の携帯端末において、
ディスプレイと、
前記予定通知時刻に、アドレス帳に登録されたエントリから任意に選んで着信情報として前記ディスプレイに表示する制御部と
を更に具備する
携帯端末。
【請求項６】
請求項１乃至５のいずれか一項に記載の携帯端末において、
前記スケジューラは、使用可能な複数の機能の使用履歴に基づいて、前記主要機能を検出し、前記主要機能における動作を実施して予定通知を行う
携帯端末。
【請求項７】
スケジュール及び予定通知時刻が設定され、前記予定通知時刻に予定通知を行うスケジューラと、
着信音と予定通知アラームとを同じ音に設定する制御部と、
前記スケジューラからの指示に応じて、前記予定通知時刻に前記予定通知アラームとして前記着信音を発生するスピーカと
を具備する
携帯端末。
【請求項８】
（ａ）設定されたスケジュール及び予定通知時刻を監視するステップと、
（ｂ）前記前記予定通知時刻に、最も使用頻度の高い主要機能における動作を実施するよう設定するステップと、
（ｃ）前記前記予定通知時刻に、前記主要機能における動作を実施して予定通知を行うステップと
を具備する
予定通知方法。
【請求項９】
請求項８に記載の予定通知方法において、
前記（ｂ）ステップは、
（ｂ１１）着信音を設定する際に、前記着信音と予定通知アラームとを同じ音にするか確認するステップと、
（ｂ１２）前記着信音と前記予定通知アラームとを同じ音に設定するステップと
を具備する
予定通知方法。
【請求項１０】
請求項８に記載の予定通知方法において、
前記（ｂ）ステップは、
（ｂ２１）前記予定通知アラームを設定する際に、前記着信音と前記予定通知アラームとを同じ音にするか確認するステップと、
（ｂ２２）前記着信音と前記予定通知アラームとを同じ音に設定するステップと
を具備する
予定通知方法。
【請求項１１】
請求項８乃至１０のいずれか一項に記載の予定通知方法において、
前記（ｃ）ステップは、
（ｃ１１）前記予定通知時刻から前後に時間をずらして予定通知を行うステップ
を具備する
予定通知方法。
【請求項１２】
請求項８乃至１１のいずれか一項に記載の予定通知方法において、
（ｄ）ユーザの通話中に予定通知を行う場合、前記スピーカから通話中着信の呼び出し音を発生するステップ
を更に具備する
予定通知方法。
【請求項１３】
請求項８乃至１２のいずれか一項に記載の予定通知方法において、
（ｅ）前記予定通知時刻に、アドレス帳に登録されたエントリから任意に選んで着信情報としてディスプレイに表示するステップ
を更に具備する
予定通知方法。
【請求項１４】
請求項８乃至１３のいずれか一項に記載の予定通知方法において、
（ｆ）使用可能な複数の機能の使用履歴に基づいて、前記主要機能を検出するステップ
を更に具備する
【請求項１５】
請求項８乃至１４のいずれか一項に記載の予定通知方法を、コンピュータに実行させるためのプログラム。
【発明の詳細な説明】
【技術分野】
【０００１】
本発明は、携帯端末に関し、特にスケジュール管理機能を有する携帯端末に関する。
【背景技術】
【０００２】
ＰＤＡ（Ｐｅｒｓｏｎａｌ  Ｄｉｇｉｔａｌ  Ａｓｓｉｓｔａｎｔｓ）など個人用の携帯情報機器にてスケジュール管理をすることが一般に行われてきた。更に、近年、携帯端末によりスケジュール管理を行うことが普及してきた。常に身に着けていること、またメール受信機能やアドレス帳などのデータを備えていることからスケジュール管理用機器としての有用性が高くなったためである。
【０００３】
しかし、習慣化することで無意識のうちに予定通知アラームを無視してしまい、確実に予定通知を受け取ることができないという課題があった。
【０００４】
例えば、携帯端末にスケジュール機能を有し、アラーム機能で予定通知を行うものがあった。しかし、目覚ましなど決まった時刻に発生するものは習慣化してしまうので、ユーザが無意識のうちにアラームを無視してしまうという課題があった。
【０００５】
また、スケジュールをサーバ上に登録し、電子メールで予定通知するものがあった。しかし、他人と会話中もしくは携帯端末を使った通話中の場合、電子メールを確認することを後回しにしてしまい、確実に予定通知の受け取ることができない可能性があった。
【０００６】
関連する技術として、特開２０００−２５３１０９号公報（特許文献１）に電話機、スケジュール管理方法及び記憶媒体が開示されている。
この従来技術では、スケジュール管理が可能な電話機が、予定の日時を指定するダイヤル釦と、音声メッセージを入力するマイクと、予定の日時及びメッセージを登録する制御を行う登録制御部と、入力された音声メッセージを登録制御部の制御に基づき記憶するメモリと、指定された予定の日時が到来した場合にその旨を通知する制御を行う通知制御手段と、メモリに記憶された音声メッセージを通知制御部の制御に基づき再生するスピーカとを有することを特徴とする。
【０００７】
また、特開２０００−３１１１４５号公報（特許文献２）にスケジュール管理装置及び方法、及びスケジュール管理プログラムを格納した記録媒体が開示されている。
この従来技術では、入力部は、スケジュールとそのスケジュールが処理される空間的な位置とを入力する。位置記憶部は、入力されたスケジュールと、入力された位置とを記憶する。現在位置検出部は、ユーザの現在位置を検出する。距離演算部は、記憶された位置と、検出された現在位置との間の距離を算出する。通知部は、算出された距離に関連して、記憶されたスケジュールを通知する。上記各部は、ユーザによって携帯される端末に設けられる。つまり、ユーザがスケジュールを処理する場所の近所を偶然通りかかったとき、ユーザに積極的にそのスケジュールを通知する。このようなタイミングで通知を行えば、ユーザは、通知後速やかにそのスケジュールを処理できる。
【０００８】
特開２００３−２４４２８３号公報（特許文献３）に端末装置及びその処理方法が開示されている。
この従来技術では、端末装置は、スケジュール等の情報処理を制御する情報処理制御部と、無線通話及びデータ通信を制御する無線通信制御部とから構成されている。予めスケジュール通知時刻の情報及び該スケジュール通知時刻で変更すべき少なくとも待ち受け画面又は着信音の情報を、ＣＰＵ部のＲＡＭに記憶し、スケジュールを設定する。現在時刻がスケジュール通知時刻になったとき、少なくとも待ち受け画面又は着信音を予め設定されたものに自動的に変更することでスケジュール通知を行う。これにより、ユーザが画面を見ること又は着信音を聞くことによって、自分にとって特別の日であることを認識できる。
【０００９】
特開２００５−０８６５８４号公報（特許文献４）に携帯電話機及びそれに用いるスケジュール管理方法並びにそのプログラムが開示されている。
この従来技術では、制御部は相手先から着信があった場合、スケジュール管理部に登録されているスケジュールデータを参照し、登録されているスケジュールデータの内容（時刻・電話帳データとの関連付け等）にしたがって、着信情報／音声応答管理部にて着信拒否や音声応答（伝言メモ）等の処理を行う。制御部はスケジュール管理部に登録されているスケジュールデータに会議等の予定がなく、自席にいる時間帯で、着信が電話帳／メールアドレス管理部の電話帳に登録されている相手先からであれば着信処理を行い、着信が電話帳に登録されていない相手先からであれば即座に着信拒否や音声応答（伝言メモ）等の処理を行う。
【００１０】
特開平０８−０９７９０２号公報（特許文献５）に電話機が開示されている。
この従来技術では、電話機が、音声通信を行う電話機機能と、現在の日付と時刻を取得する時刻取得手段と、日付と時間（時間は開始時刻と終了時刻からなる）と状態を記憶する予定記憶手段と、予定記憶手段の内容を入力する入力手段と、予定記憶手段の内容を表示する表示手段と、音声メッセージ出力手段を設け、以上を制御する制御手段とを備える。
【００１１】
【特許文献１】特開２０００−２５３１０９号公報
【特許文献２】特開２０００−３１１１４５号公報
【特許文献３】特開２００３−２４４２８３号公報
【特許文献４】特開２００５−０８６５８４号公報
【特許文献５】特開平０８−０９７９０２号公報
【発明の開示】
【発明が解決しようとする課題】
【００１２】
本発明の目的は、スケジュール管理機能によって、確実に予定情報を受け取ることができる携帯端末を提供することである。
本発明の他の目的は、予定通知アラームを通常の着信に擬して、区別がつきにくくすることで、ユーザが確実に予定情報を受け取ることができるようにする携帯端末を提供することである。
【課題を解決するための手段】
【００１３】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１４】
本発明の携帯端末は、最も使用頻度の高い主要機能における動作を実施するための動作部（１３，１４，１５）と、スケジュール及び予定通知時刻が設定され、予定通知時刻に動作部（１３，１４，１５）を用いて主要機能における動作を実施して予定通知を行うスケジューラ（１１）とを具備する。なお、動作部（１３，１４，１５）が複数の場合は、そのうちの少なくとも一つを用いる。
【００１５】
動作部（１３，１４，１５）は、主要機能に用いられる通知音を発生するスピーカ（１３）を含む。スケジューラ（１１）は、予定通知時刻にスピーカ（１３）から主要機能に用いられる通知音を発生させて予定通知を行う。
【００１６】
スケジューラ（１１）は、ユーザの通話中に予定通知を行う場合、スピーカ（１３）から通話中着信の呼び出し音を発生する。
【００１７】
スケジューラ（１１）は、予定通知時刻から前後に時間をずらして予定通知を行う。
【００１８】
本発明の携帯端末は、ディスプレイ（１５）と、予定通知時刻に、アドレス帳に登録されたエントリから任意に選んで着信情報としてディスプレイ（１５）に表示する制御部（１２）とを更に具備する。
【００１９】
スケジューラ（１１）は、使用可能な複数の機能の使用履歴に基づいて、主要機能を検出し、主要機能における動作を実施して予定通知を行う。
【００２０】
本発明の他の携帯端末は、スケジュール及び予定通知時刻が設定され、予定通知時刻に予定通知を行うスケジューラ（１１）と、着信音と予定通知アラームとを同じ音に設定する制御部（１２）と、スケジューラ（１１）からの指示に応じて、予定通知時刻に予定通知アラームとして着信音を発生するスピーカ（１３）とを具備する。
【００２１】
本発明の予定通知方法は、（ａ）設定されたスケジュール及び予定通知時刻を監視するステップと、（ｂ）予定通知時刻に、最も使用頻度の高い主要機能における動作を実施するよう設定するステップと、（ｃ）予定通知時刻に、主要機能における動作を実施して予定通知を行うステップとを具備する。
【００２２】
（ｂ）ステップは、（ｂ１１）着信音を設定する際に、着信音と予定通知アラームとを同じ音にするか確認するステップと、（ｂ１２）着信音と予定通知アラームとを同じ音に設定するステップとを具備する。
【００２３】
また、（ｂ）ステップは、（ｂ２１）予定通知アラームを設定する際に、着信音と予定通知アラームとを同じ音にするか確認するステップと、（ｂ２２）着信音と予定通知アラームとを同じ音に設定するステップとを具備する。
【００２４】
（ｃ）ステップは、（ｃ１１）予定通知時刻から前後に時間をずらして予定通知を行うステップを具備する。
【００２５】
本発明の予定通知方法は、（ｄ）ユーザの通話中に予定通知を行う場合、スピーカ（１３）から通話中着信の呼び出し音を発生するステップを更に具備する。
【００２６】
本発明の予定通知方法は、（ｅ）予定通知時刻に、アドレス帳に登録されたエントリから任意に選んで着信情報としてディスプレイに表示するステップを更に具備する。
【００２７】
本発明の予定通知方法は、（ｆ）使用可能な複数の機能の使用履歴に基づいて、主要機能を検出するステップを更に具備する。
【００２８】
本発明のプログラムは、上記の予定通知方法をコンピュータに実行させる。
【発明の効果】
【００２９】
予定通知アラームが通常の着信時と同様の方法で実施され、しかもディスプレイには着信情報が表示されているため、ユーザが携帯端末を操作するまでは通常の着信と区別がつかない。ユーザに受話処理を促すため確実に予定情報を音声メッセージで受け取ることができる。また、予定通知時刻をあいまいに設定することで、予定通知時刻から前後にずれた時間に予定通知アラームが開始されるため、通常の着信と区別がつきにくくなる。ユーザに受話処理を促すため確実に予定情報を音声メッセージで受け取ることができる。
【発明を実施するための最良の形態】
【００３０】
本発明は、スケジュール管理機能を有する携帯端末において、予定通知アラームを通常の着信に擬し、区別がつかないよう工夫したことを特徴としている。すなわち、ユーザが確実に確認する処理あるいは確認する可能性が高い処理に擬して、予定通知アラームを通知することを特徴としている。
【００３１】
以下に本発明の第１実施形態について添付図面を参照して説明する。
図１を参照すると、本発明の一実施例としての携帯端末１０が示されている。図１において、携帯端末１０は、スケジューラ１１と、制御部１２と、スピーカ１３と、バイブレーション１４と、ディスプレイ１５を備える。
【００３２】
携帯端末１０は、ユーザが携帯する電子機器である。例として、携帯電話機、ＰＤＡ、ノート型パソコン（ラップトップ）、携帯音楽プレーヤー、携帯ゲーム機、ハンディターミナルが挙げられる。携帯端末１０は、通信機能を有していることが好ましいが、仮に携帯端末１０が通信機能を有していなくても、本発明の目的を達成することは可能である。また、通信機能を有しない電子機器であっても、その電子機器から携帯電話機の着信音がすれば、ユーザが反射的に確認すると考えられる。このような場合、事情を知らないユーザ以外の者には携帯電話機の着信音にしか聞こえないため、ユーザ以外の者は携帯電話の着信と認識する。スケジュールあるいはその通知を他人に知られたくない場合に活用できる。
【００３３】
スケジューラ１１はスケジュール管理機能を提供するアプリケーションであり、携帯端末ユーザによるスケジュール登録、検索機能とともに予定通知アラーム機能を有する。これらの機能は、携帯端末１０のＣＰＵ（中央処理装置）が有している場合もある。
【００３４】
制御部１２は、ＭＭＩ（Ｍａｎ  Ｍａｃｈｉｎｅ  Ｉｎｔｅｒｆａｃｅ）機能を有しており、通常の着信呼をユーザに通知するために使用されるスピーカ１３、バイブレーション１４、及びディスプレイ１５を制御可能である。例えば、携帯端末１０のＣＰＵ（中央処理装置）が例に挙げられる。
【００３５】
スピーカ１３は、着信音や予定通知アラーム、音声メッセージをユーザに通知する。バイブレーション１４は、携帯端末１０の本体（筐体）を振動させて予定通知時刻の到来や予定通知情報の着信をユーザに通知する。ディスプレイ１５は、スケジュールや予定通知情報を表示する。なお、スケジュールや予定通知情報といった文字データ又は画像データ、及び、着信音や予定通知アラーム、音声メッセージといった音源データは、携帯端末１０が保持している。
【００３６】
図１において、携帯端末１０は、通常の着信をユーザに通知する目的でスピーカ１３、バイブレーション１４、及びディスプレイ１５を備える。スケジューラ１１は、スピーカ１３、バイブレーション１４、ディスプレイ１５を使用して予定通知アラームを通常の着信に擬して通知するため、ユーザは通常の着信と予め区別することができない。
【００３７】
なお、携帯端末１０の出荷時において、予め予定通知アラームが着信音と同じ音になるように設定しておき、ユーザが自由に変更できないようにしておいても良い。
【００３８】
また、携帯端末１０において、ユーザが電話の着信音を選択する際に、予定通知アラームを同じ音にするかユーザに確認するようにしても良い。図２に、この場合の設定動作のフローチャートを示す。ここでは、動作の主体は制御部１２としているが、スケジューラ１１でも良い。
（１）ステップＳ１０１
制御部１２は、携帯端末１０の着信音を設定する。例えば、ユーザの操作に応じて設定する場合や、ネットワーク経由で取得した音源データを自動的に設定する場合が考えられる。
（２）ステップＳ１０２
着信音の設定の際、予定通知アラームを同じ音にするかユーザに確認する。予定通知アラームを同じ音にしないとの応答があった場合、念のため、再度確認するようにしても良い。着信音と予定通知アラームを同じ音にしない場合、本発明によるスケジュール管理機能は実施しない。
（３）ステップＳ１０３
着信音と予定通知アラームを同じ音にする場合、予定通知アラームに、新たに設定された着信音と同じ音を使用するように設定する。
（４）ステップＳ１０４
着信音と予定通知アラームを同じ音にしない場合、予定通知アラームに、この後ユーザが選択する音や、既に設定されている予定通知アラームなど、着信音と異なる音を使用するように設定する。
【００３９】
逆に、予定通知アラームの音を選択する際に、電話の着信音と同じ音にするかユーザに確認するようにしても良い。図３に、この場合の設定動作のフローチャートを示す。ここでは、動作の主体は制御部１２としているが、スケジューラ１１でも良い。
（１）ステップＳ２０１
制御部１２は、携帯端末１０の予定通知アラームを設定する。例えば、ユーザの操作に応じて設定する場合や、ネットワーク経由で取得した音源データを自動的に設定する場合が考えられる。
（２）ステップＳ２０２
予定通知アラームの設定の際、着信音を同じ音にするかユーザに確認する。着信音を同じ音にしないとの応答があった場合、念のため、再度確認するようにしても良い。予定通知アラームと着信音を同じ音にしない場合、本発明によるスケジュール管理機能は実施しない。
（３）ステップＳ２０３
予定通知アラームと着信音を同じ音にする場合、着信音に、新たに設定された予定通知アラームと同じ音を使用するように設定する。
（４）ステップＳ２０４
予定通知アラームと着信音を同じ音にしない場合、着信音に、この後ユーザが選択する音や、既に設定されている着信音など、予定通知アラームと異なる音を使用するように設定する。
【００４０】
更に、電話の着信音の設定を、自動的に予定通知アラームの設定と連動するようにすることが考えられる。例えば、携帯電話機の着信音は、流行の音楽を使用することもあり、変更も容易なため、頻繁に変更されることが多い。電話の着信音を変更した時、予定通知アラームも自動的に同じ音に変更されるようにすることで、予定通知アラーム設定におけるユーザの負担を軽減し、電話の着信音と予定通知アラームとを常に同じ音にすることができる。この場合、電話の着信音と予定通知アラームに同一の音源データを使用するようにし、音源データを共通化することも可能である。
【００４１】
ここでは、予定通知アラームを電話の着信音に擬する場合を例に説明しているが、実際には、電話の着信音に限定されない。例えば、携帯端末１０の起動音や異常警告音でも良い。また、予定通知アラームの場合、通常の着信音より音量を大きくして音源データを再生するようにしても良い。更に、予定通知手段も音に限定されるものではなく、バイブレーション１４による振動や、ディスプレイ１５への表示、あるいは、ディスプレイ１５や操作キーの有する発光機能による点灯や点滅も考えられる。
【００４２】
図４に、本発明の携帯端末１０の全体の動作のフローチャートを示す。ここでは、図１に示す構成図を参照して説明する。
（１）ステップＳ３０１
スケジューラ１１は、ユーザにより登録されたスケジュール及び予定通知時刻を設定する。但し、実際には、ユーザ以外の者により登録されたスケジュール及び予定通知時刻であっても良い。例えば、スケジューラ１１が、ユーザとユーザ以外の者との間の通話又は電子メールのやり取りの内容に基づいて自動的にスケジュールを設定する機能を有している場合、スケジューラ１１がスケジュール及び予定通知時刻を自動的に設定する。
（２）ステップＳ３０２
スケジューラ１１は、日時を監視し、予定通知時刻かどうか確認する。
（３）ステップＳ３０３
スケジューラ１１は、予定通知時刻が訪れると、制御部１２を通して通常の着信時と同様に、スピーカ１３もしくはバイブレーション１４を用いて予定通知アラームを開始する。
（４）ステップＳ３０４
スケジューラ１１は、アドレス帳に登録されたエントリから任意に選んで着信情報としてディスプレイ１５に表示する。このとき、ユーザが誤ってリダイヤル又は返信してしまうことを防止するために、予めダミー（架空）のエントリをアドレス帳に登録しておき、このダミー（架空）のエントリを選んで着信情報としてディスプレイ１５に表示するようにしても良い。例えば、名前を「予定通知」、電話番号を「００００００００００」とする。
【００４３】
このように、ユーザはスケジューラ１１を用いてスケジュールの登録及び予定通知時刻を設定する。スケジューラ１１は予定通知時刻が訪れると制御部１２を通して通常の着信時と同様にスピーカ１３もしくはバイブレーション１４を用いて予定通知アラームを開始する。同時にアドレス帳に登録されたエントリから任意に選んで着信情報としてディスプレイ１５に表示する。
【００４４】
また、ユーザはスケジューラ１１を用いて予定通知時刻をあいまいに設定することを可能とする。この場合、スケジューラ１１はユーザが登録した予定通知時刻から前後に時間をずらして予定通知アラームを開始する。
【００４５】
ユーザは上記予定通知アラームが通常の着信と区別がつきにくいことから、受話処理を行う。スケジューラ１１は登録された予定情報を音声メッセージでユーザに通知する。
【００４６】
なお、本発明の携帯端末１０における各動作は、ハードウェア機能に限らず、プログラムを実行することにより実現することも可能である。
【００４７】
以下に本発明の第２実施形態について説明する。
本発明の第２実施形態では、その基本的構成は上記の通りであるが、通話中に予定通知時刻が訪れた場合について更に工夫している。通話中に予定通知時刻が訪れた場合は通話中着信と同様の呼び出し音をスピーカに流すことで、ユーザは通常の着信と区別することができず、確実に予定情報を受け取る効果を得ることができる。
【００４８】
以下に本発明の第３実施形態について説明する。
本発明の第３実施形態では、予定通知の際、ユーザ自身から電話や電子メールの着信を受けたように擬することで、より自然な形で予定通知を行うことが可能になる。例えば、予めユーザ自身が予定通知のためのメッセージを音源データや文字データの形で携帯端末１０に保存しておく。そして、予定通知時刻が来たら、ユーザ自身の電話番号から着信があったようにディスプレイ１５に表示し、留守番電話機能に音源データを残しておく。着信音がなっている間にユーザが操作した時は、そのまま音源データを再生するようにしても良い。あるいは、件名がスケジュール内容、差出人がユーザ自身のメールアドレスとなっている電子メールを着信したようにディスプレイ１５に表示する。
【００４９】
以下に本発明の第４実施形態について説明する。
習慣化した予定通知ではユーザがアラームを無視してしまうという問題を解決するため、毎回、予定通知アラームの音や動作を変更するという手段が考えられる。例えば、予め予定通知アラームの音や動作をいくつか候補として選択しておき、選択された音や動作のうちから無作為に使用するようにする。あるいは、ユーザの意思とは関係無く、携帯端末１０が完全に無作為に予定通知アラームの音や動作を選択して使用するようにする。これにより、ユーザが習慣化により予定通知アラームを無視してしまうことを防止する。
【００５０】
以下に本発明の第５実施形態について説明する。
最も使用頻度の高い主要機能と同様の動作により予定通知を行うことが、本発明を実施する上で好ましい。従って、最も使用頻度の高い主要機能を自動的に検出して予定通知に用いるように設定する機能を、携帯端末１０に搭載することが考えられる。例えば、スケジューラ１１又は制御部１２が、携帯端末１０のハードウェア機能やアプリケーションソフトウェアの使用履歴を確認し、最も使用頻度の高いもの、あるいは最近使用されたものを検出して予定通知に使用するようにしても良い。
【００５１】
以下に本発明の第６実施形態について説明する。
本実施形態では、最も使用頻度の高い主要機能に限定せず、使用率が所定の値よりも高い機能のうちから一つ指定、あるいは無作為に選択して予定通知に用いるように設定する。使用率については、携帯端末１０のハードウェア機能やアプリケーションソフトウェアの使用履歴を参照して算出することが可能である。所定の値については、ユーザによる設定、又は初期設定により予め携帯端末１０のメモリに登録しておく。
【００５２】
本発明の特徴について、以下に説明する。
まず、スケジュール管理機能を有する携帯端末において、音声通話に擬して予定通知アラームを実施する機能を有することを特徴とする。
【００５３】
また、スケジュール管理機能を有する携帯端末において、予定通知アラームを通常の着信時と同様の方法で行い、かつアドレス帳から任意に選んで着信情報としてディスプレイに表示することで通常の着信と区別がつきにくくしたことを特徴とする。
【００５４】
また、スケジュール管理機能を有する携帯端末において、予定通知アラームの時刻をあいまいにすることで通常の着信と区別がつきにくくしたことを特徴とする。
【００５５】
更に、スケジュール管理機能を有する携帯端末において、通話中に予定通知を行う場合、通話中着信と同様の呼び出し音を流すことで通常の着信と区別がつきにくくしたことを特徴とする。
【００５６】
すなわち、本発明の本質は、スケジュールの予定通知を、携帯端末の主要な機能（使用頻度の高い機能）の動作に擬して行うことにある。例えば、携帯電話機であれば、通話や電子メールの送受信が主要な機能であるため、予定通知アラームを着信音と同じにすることで、ユーザが確実に確認することが期待できる。
【００５７】
通常は、異なる複数の機能が同じ動作を行うとユーザの混乱を招くおそれがあるため、避けるものであるが、ユーザによる確実なスケジュール確認を主目的とする本発明では、敢えて使用頻度の高い機能とスケジュール機能の動作を同一又は類似にすることで、ユーザが予定通知アラームを無視してしまうことを防止している。
【図面の簡単な説明】
【００５８】
【図１】図１は、本発明の携帯端末の基本構成を示すブロック図である。
【図２】図２は、着信音の設定時に予定通知アラームを設定する動作を示すフローチャートである。
【図３】図３は、予定通知アラームの設定時に着信音を設定する動作を示すフローチャートである。
【図４】図４は、予定通知機能の設定及び実施の際の動作を示すフローチャートである。
【符号の説明】
【００５９】
１０…  携帯端末
１１…  スケジューラ
１２…  制御部
１３…  スピーカ
１４…  バイブレーション
１５…  ディスプレイ
【図１】
2008148205.tif 000003
【図２】
2008148205.tif 000004
【図３】
2008148205.tif 000005
【図４】
2008148205.tif 000006